(57)【要約】【課題】低コストで多色の編集入力画像を印刷できる写真プリント提供装置を提供する。【解決手段】被写体２を撮影するカメラ６と、撮影画像を表示して編集入力を受け付けるディスプレイ８と、入力された編集入力画像４３に基づいて、撮影画像のうち入力された編集入力画像４３に対応する部分に一次編集画像４６を生成する一次編集手段２８と、上記一次編集画像４６と対応する部分に、上記一次編集画像４６と合わさって編集入力画像４３を生成する単一色画像４７を生成する二次編集手段２７と、上記一次編集画像４６入りの撮影画像を印刷媒体１５に印刷する第１印刷ヘッド１０と、上記一次編集画像４６の上に、半透明インクにより単一色画像４７を印刷する第２印刷ヘッド１１とを備えた。【選択図】図３
2004153379.tif 000002
【特許請求の範囲】
【請求項１】
被写体の写真を撮影して撮影画像を印刷媒体に印刷し、その写真プリントを提供する写真プリント提供装置であって、撮影領域内に存在する被写体を撮影して撮影画像を生成するカメラと、上記カメラで撮影された被写体の撮影画像を表示してその撮影画像に対する編集入力画像の入力を受け付ける編集入力手段と、上記入力された編集入力画像に基づいて、撮影画像のうち入力された編集入力画像に対応する部分を一次編集して一次編集画像を生成する一次編集手段と、上記一次編集画像と対応する部分に、上記一次編集画像と合わさって編集入力画像を生成する二次編集画像を生成する二次編集手段と、上記一次編集された撮影画像を印刷媒体に印刷する第１印刷ヘッドと、上記一次編集された撮影画像が印刷された印刷媒体の一次編集画像の上に、印刷結果が半透明を呈する半透明インクにより上記二次編集画像を印刷する第２印刷ヘッドとを備えていることを特徴とする写真プリント提供装置。
【請求項２】
上記撮影画像に対する一次編集は、撮影画像の一次編集箇所の白抜きおよび／または下塗り色への変更である請求項１記載の写真プリント提供装置。
【請求項３】
上記編集入力手段における編集入力画像の入力操作での色指定は、編集入力手段に表示された色指定ツールによって行なわれるように構成され、上記編集入力画像に基づいて行なわれる一次編集は、第２印刷ヘッドでの半透明インクによる二次編集画像の上塗り印刷による色混合の結果、その印刷結果が上記色指定ツールで指定された指定色となるよう設定された下塗り色によって行なわれるように構成され、第１印刷ヘッドによる一次編集箇所の印刷は、上記一次編集で設定された下塗り色により印刷されるようになっている請求項２記載の写真プリント提供装置。
【請求項４】
一次編集の際、第２印刷ヘッドでの半透明インクの上塗り印刷による色混合の結果が指定色となる下塗り色を設定するテーブルを有し、上記テーブルが第２ヘッドで上塗り印刷される半透明インクの種類に応じて複数設けられ、使用する半透明インクに応じて複数のテーブルが切り換え使用されるように構成されている請求項３記載の写真プリント提供装置。
【請求項５】
上記カメラで撮影した被写体の撮影画像等を表示する画像表示手段を備え、上記二次編集手段は、一次編集された撮影画像に対して半透明インクで二次編集画像が印刷された印刷結果に対応する印刷結果画像を生成して画像表示手段に出力する二次画像生成部と、上記二次画像生成部で生成された印刷結果画像を単一色画像に変換して第２印刷ヘッドに出力する変換部とを含んで構成されている請求項１〜４のいずれか一項に記載の写真プリント提供装置。
【請求項６】
上記一次編集手段は、撮影画像とは別に一次編集画像を生成する一次画像生成部と、上記一次画像生成部で生成された一次編集画像と撮影画像とを合成して第１印刷ヘッドに出力する合成部とを含んで構成されている請求項１〜５のいずれか一項に記載の写真プリント提供装置。
【請求項７】
上記第２印刷ヘッドによって印刷媒体に印刷される半透明インクは、蛍光色インクである請求項１〜６のいずれか一項に記載の写真プリント提供装置。
【請求項８】
被写体の写真を撮影して撮影画像を印刷媒体に印刷し、その写真プリントを提供する写真プリント提供方法であって、撮影領域内に存在する被写体を撮影して撮影画像を生成する撮影ステップと、上記カメラで撮影された被写体の撮影画像を表示してその撮影画像に対する編集入力画像の入力を受け付ける編集入力ステップと、上記入力された編集入力画像に基づいて、撮影画像のうち入力された編集入力画像に対応する部分を一次編集して一次編集画像を生成する一次編集ステップと、上記一次編集画像と対応する部分に、上記一次編集画像と合わさって編集入力画像を生成する二次編集画像を生成する二次編集ステップと、上記一次編集された撮影画像を印刷媒体に印刷する第１印刷ステップと、上記一次編集された撮影画像が印刷された印刷媒体の一次編集画像の上に、印刷結果が半透明を呈する半透明インクにより上記二次編集画像を印刷する第２印刷ステップとを備えていることを特徴とする写真プリント提供方法。
【発明の詳細な説明】
【０００１】
【発明の属する技術分野】
本発明は、ゲームセンター等に設置され、硬貨等が投入されることにより被写体を撮影し、シール，カード，紙類，フィルム等にプリント出力する写真プリント提供装置および方法に関するものである。
【０００２】
【従来の技術】
近年、ゲームセンター等において、写真を撮影してシールプリント等にする写真プリント提供装置が数多く設置されている。このような写真プリント提供装置は、一般に、利用者である被写体をカメラで撮影し、その撮影画像に対して利用者による編集入力を行わせ、編集入力されたお絵描き画像やスタンプ画像と撮影画像を合成し、その合成画像を写真プリントとして印刷出力するものである。
【０００３】
このような写真プリント提供装置において、特殊な見栄え効果を生む印刷を行なうものとして、下記の特許文献１に示すものが開示されている。この特許文献１に記載の装置は、第１の印字ヘッドによりイエロー・シアン・マゼンタ・ブラックを印刷し、第２の印字ヘッドによりシルバーやゴールド等を印刷するものである。
【０００４】
【特許文献１】
登録実用新案第３０８４２６５号
【０００５】
【発明が解決しようとする課題】
しかしながら、上記特許文献１に記載の装置では、第２印字ヘッドによって印刷を行なうゴールド等の色は、イエロー・シアン・マゼンタ・ブラックによる写真画質の印刷の上に上書き印刷するものであるため、印字インクは１色毎に必要となる。
【０００６】
例えば、上記特許文献１の図５に示されたような１本のリボンでイエロー・シアン・マゼンタ・ブラックとゴールド等とを印刷するものにおいて、例えばゴールド以外にシルバーを印字しようとすると、イエロー・シアン・マゼンタ・ブラックのインク領域の隣に、ゴールドインク領域とシルバーインク領域の双方を設けなければならず、第２印字ヘッドによる上書きの色数が増えれば増えるだけ、１枚の写真プリントを印字するために必要な印字リボンの長さが長くなり、印字リボンも高価になる。また、１枚の印刷媒体にゴールドとシルバーの両方を印字しない場合には、１色分のインク領域が全く無駄になって極めてロスが多く、印刷コストに跳ね返ることになる。
【０００７】
また、上記特許文献１の図２に示されたような複数本のリボンでイエロー・シアン・マゼンタ・ブラックとゴールド等とを印刷するものにおいて、例えばゴールド以外にシルバーを印字しようとすると、イエロー・シアン・マゼンタ・ブラックのインクリボン以外に、ゴールドのインクリボンとシルバーのインクリボンの双方が必要になり、上書きの色数が増えれば増えるだけ、印字リボンの本数と印字ヘッドの数を増やさねばならず、装置も複雑かつ高価になって印刷コストが跳ね上がることになる。
【０００８】
このように、上記特許文献１に記載の装置において、写真画像以外の上書き画像の色数を増やそうとすると、印刷コストが跳ね上がることとなるため、現実問題としては、上書き画像は同時に１色しか用いられなかったのが実情である。
【０００９】
本発明は、このような事情に鑑みなされたもので、写真プリントに特殊な色彩効果を付与するための特殊インクを用い、極めて低コストで写真画像に多色によるカラフルな上書き画像等の編集入力画像を印刷できる写真プリント提供装置および方法の提供を目的とする。
【００１０】
【課題を解決するための手段】
上記の目的を達成するため、本発明の写真プリント提供装置は、被写体の写真を撮影して撮影画像を印刷媒体に印刷し、その写真プリントを提供する写真プリント提供装置であって、撮影領域内に存在する被写体を撮影して撮影画像を生成するカメラと、上記カメラで撮影された被写体の撮影画像を表示してその撮影画像に対する編集入力画像の入力を受け付ける編集入力手段と、上記入力された編集入力画像に基づいて、撮影画像のうち入力された編集入力画像に対応する部分を一次編集して一次編集画像を生成する一次編集手段と、上記一次編集画像と対応する部分に、上記一次編集画像と合わさって編集入力画像を生成する二次編集画像を生成する二次編集手段と、上記一次編集された撮影画像を印刷媒体に印刷する第１印刷ヘッドと、上記一次編集された撮影画像が印刷された印刷媒体の一次編集画像の上に、印刷結果が半透明を呈する半透明インクにより上記二次編集画像を印刷する第２印刷ヘッドとを備えていることを要旨とする。
【００１１】
また、本発明の写真プリント提供方法は、被写体の写真を撮影して撮影画像を印刷媒体に印刷し、その写真プリントを提供する写真プリント提供方法であって、撮影領域内に存在する被写体を撮影して撮影画像を生成する撮影ステップと、上記カメラで撮影された被写体の撮影画像を表示してその撮影画像に対する編集入力画像の入力を受け付ける編集入力ステップと、上記入力された編集入力画像に基づいて、撮影画像のうち入力された編集入力画像に対応する部分を一次編集して一次編集画像を生成する一次編集ステップと、上記一次編集画像と対応する部分に、上記一次編集画像と合わさって編集入力画像を生成する二次編集画像を生成する二次編集ステップと、上記一次編集された撮影画像を印刷媒体に印刷する第１印刷ステップと、上記一次編集された撮影画像が印刷された印刷媒体の一次編集画像の上に、印刷結果が半透明を呈する半透明インクにより上記二次編集画像を印刷する第２印刷ステップとを備えていることを要旨とする。
【００１２】
すなわち、本発明は、被写体を撮影して撮影画像を生成して撮影画像に対する編集入力画像の入力を受け付け、上記入力された編集入力画像に基づいて、撮影画像のうち入力された編集入力画像に対応する部分を一次編集して一次編集画像を生成し、上記一次編集画像と対応する部分に、上記一次編集画像と合わさって編集入力画像を生成する二次編集画像を生成する。そして、上記一次編集された撮影画像を印刷媒体に印刷したのち、上記一次編集された撮影画像が印刷された印刷媒体の一次編集画像の上に、印刷結果が半透明を呈する半透明インクにより上記二次編集画像を印刷する。
【００１３】
このように、撮影画像の編集入力箇所に一次編集を行い、一次編集された撮影画像を第１印刷ヘッドで印刷し、上記一次編集された撮影画像が印刷された印刷媒体の一次編集画像の上に、印刷結果が半透明を呈するインクにより二次編集画像を第２印刷ヘッドで印刷するため、第２印刷ヘッドによって半透明に印刷された二次編集画像は、その下の一次編集画像が透けて見えるため、印刷結果としては、第２印刷ヘッドによる半透明インクの色と一次編集画像の色を合わせた混合色となって現れる。したがって、第２印刷ヘッドによる半透明インクが実質的に単一色であったとしても、印刷結果の編集入力画像は一次編集画像の色柄を反映したものとなり、一次編集の状態に応じて様々な色柄表現が可能となる。このように、１つの第２印刷ヘッドによる二次編集画像の印刷により、表現された編集入力画像は多様な色柄表現が可能となる。したがって、従来の装置のように、印字ヘッドを増やしたり特殊なインクリボンをつくったり、あるいはインクの無駄を増やしたりして印刷コストを上げることなく、多様な色柄表現で編集入力画像を印刷表現できる。このように、カラフルな編集画像の色柄表現が低コストで実現できるようになる。
【００１４】
本発明において、上記撮影画像に対する一次編集は、撮影画像の一次編集箇所の白抜きおよび／または下塗り色への変更である場合には、編集入力画像に対応する一次編集画像について、撮影画像を白抜きしたり下塗り色に変更したりすることにより、第２印刷ヘッドで二次編集画像を印刷した印刷結果は、第２印刷ヘッドによる半透明インクの色と上記一次編集画像の色を合わせた混合色となって現れ、編集入力画像は一次編集の色柄を反映したカラフルな色柄表現が可能となる。
【００１５】
本発明において、上記編集入力手段における編集入力画像の入力操作での色指定は、編集入力手段に表示された色指定ツールによって行なわれるように構成され、上記編集入力画像に基づいて行なわれる一次編集は、第２印刷ヘッドでの半透明インクによる二次編集画像の上塗り印刷による色混合の結果、その印刷結果が上記色指定ツールで指定された指定色となるよう設定された下塗り色によって行なわれるように構成され、第１印刷ヘッドによる一次編集箇所の印刷は、上記一次編集で設定された下塗り色により印刷されるようになっている場合には、印刷結果は、第１印刷ヘッドによる下塗り色と、その上に上塗り印刷される第２印刷ヘッドの半透明インクとの色混合の結果実現するものであるが、その印刷結果の指定色を編集入力によってダイレクトに指定し、その指定色に応じた下塗り色により第１印刷ヘッドで一次編集箇所を印刷し、指定どおりの印刷結果を得ることができる。
【００１６】
本発明において、一次編集の際、第２印刷ヘッドでの半透明インクの上塗り印刷による色混合の結果が指定色となる下塗り色を設定するテーブルを有し、上記テーブルが第２ヘッドで上塗り印刷される半透明インクの種類に応じて複数設けられ、使用する半透明インクに応じて複数のテーブルが切り換え使用されるように構成されている場合には、一次編集箇所の印刷は、編集入力で指定された指定色とは異なる下塗り色で印刷する必要があるが、上記テーブルを参照することにより、指定色に応じた下塗り色を設定して第１印刷ヘッドで印刷することができる。また、第２印刷ヘッドで使用する半透明インクの種類を変更した際には、上記テーブルを使用する半透明インクに対応したものに切り換えることにより、適格に指定色どおりの印刷結果を実現できる。
【００１７】
本発明において、上記カメラで撮影した被写体の撮影画像等を表示する画像表示手段を備え、上記二次編集手段は、一次編集された撮影画像に対して半透明インクで二次編集画像が印刷された印刷結果に対応する印刷結果画像を生成して画像表示手段に出力する二次画像生成部と、上記二次画像生成部で生成された印刷結果画像を単一色画像に変換して第２印刷ヘッドに出力する変換部とを含んで構成されている場合には、半透明インクによって印刷される二次編集画像の色柄と、その二次編集画像の下に印刷される一次編集画像の色柄が色混合された印刷結果に対応した編集後画像が画像表示手段に表示され、利用者は印刷結果をイメージしながら編集入力を行なうことができる。
【００１８】
本発明において、上記一次編集手段は、撮影画像とは別に一次編集画像を生成する一次画像生成部と、上記一次画像生成部で生成された一次編集画像と撮影画像とを合成して第１印刷ヘッドに出力する合成部とを含んで構成されている場合には、撮影画像とは別に一次編集画像を生成するため、撮影画像自体は合成部で合成されるまで変更されないため、一旦入力された編集入力画像を編集中に消去して編集のやり直しを行なう際に元の撮影画像を使用できるため、制御が極めて行ないやすい。
【００１９】
本発明において、上記第２印刷ヘッドによって印刷媒体に印刷される半透明インクは、蛍光色インクである場合には、第２印刷ヘッドによる二次編集画像の印刷結果は、第２印刷ヘッドによる半透明の蛍光色インクの色と上記一次編集画像の色を合わせた混合色となって現れ、印刷結果として現れる編集入力画像は一次編集の色柄を反映したカラフルな色柄表現が可能となる。
【００２０】
【発明の実施の形態】
つぎに、本発明の実施の形態を詳しく説明する。
【００２１】
図１は、本発明の写真プリント提供装置の一実施の形態を示す図である。この写真プリント提供装置は、筐体１の内部および表面に各種の装置が設けられている。ここで、説明の便宜上、筐体１において、使用者（被写体）２と対面する側（図１の左側）を筐体１の前側とし、反対側（図１の右側）を筐体１の後側とする。
【００２２】
上記筐体１の前面には硬貨投入口（図示せず）が設けられ、筐体１内部の硬貨投入口に隣接した位置には投入した硬貨を検出して後述するコンピュータ装置７に検出信号を送信する硬貨検出部１７（図２参照）が設けられる。また、筐体１前面の適所には、コンピュータ装置７から音声信号を受信して音声出力するスピーカ１８（図２参照）、被写体２を照射するライト（図示せず）が設けられている。
【００２３】
上記被写体２の背後には、外部からの光を遮断するバックスクリーン３が配設されている。このバックスクリーン３は、筐体１の前面の上部および下部から突出された支持フレーム４，５によって支持される。上記バックスクリーン３のカメラ６側面には、撮影画像を合成する際の合成手法に応じた色彩が施される。例えば、クロマキー合成であれば、バックスクリーン３の内面全体に緑，青等のクロマキー合成に適当な色の着色が施される。
【００２４】
上記上側の支持フレーム４には樹脂シート等で天井部が設けられ、上下の支持フレーム４，５にわたって樹脂シートで側壁が形成される。側壁には、出入口（図示せず）が設けられ、この出入口はカーテン等が吊設されて内部空間が外部から仕切られている。
【００２５】
そして、上記筐体１の前面、バックスクリーン３，天井部，側壁等により形成される内部空間が、撮影領域であるブースを形成している。この例では、利用者２は、上記ブース内で撮影，編集等のプレイを行なうようになっている。
【００２６】
上記筐体１の内部には、ブース内の被写体２を撮影して撮影画像を生成するカメラ６と、上記カメラ６から撮影画像の画像信号を受信して画像の編集等を行うコンピュータ装置７と、このコンピュータ装置７から送信された合成画像等の画像信号を受信して画像を表示したり、操作案内を表示して操作入力を行なうディスプレイ８とが設けられている。このディスプレイ８は、例えば、液晶タブレット，タッチパネル等が用いられ、本発明の編集入力手段として機能するものであり、上記カメラ６で撮影された被写体２の撮影画像を表示してその撮影画像に対する編集入力画像の入力を受け付けるようになっている。
【００２７】
上記筐体１のカメラ６の前側に対応する部分には、ガラス・プラスチック等の透明板１４が嵌めこまれている。また、上記ディスプレイ８は、被写体２に向かって斜め上向きに配設され、ディスプレイ８に表示された画像が使用者２によって目視されるようになっている。
【００２８】
さらに、上記筐体１前面のディスプレイ８近傍には、操作部１６が設けられている。この操作部１６は、使用者２が各種の操作を行なうボタン・レバー等を有し、コンピュータ装置７に操作信号を送信する。
【００２９】
また、上記操作部１６には、タッチペン１２が備えられている。このタッチペン１２は、その先端をディスプレイ８の表面に接触させ、文字や図形等を描くことにより画像を手書き入力したりスタンプ画像を入力したりできるようになっている。また、上記ディスプレイ８には、操作案内のメッセージや操作ボタン等が表示され、上記メッセージに応じてタッチペン１２による操作入力を受付けてコンピュータ装置７に操作信号を送信する。
【００３０】
上記ディスプレイ８には、カメラ６によって撮影された被写体２の撮影画像が表示される。撮影プレイ中は、ディスプレイ８にはカメラ６による撮影画像が動画のライブ映像として表示される。撮影プレイでは、上記ライブ映像を見ながら所定の瞬間の映像を静止画として固定し、この固定された静止画を撮影画像として一次編集の対象とする。
【００３１】
そして、被写体２によるタッチペン１２や操作部１６を操作することによるシャッタ操作によってライブ映像が停止されて撮影画像が生成される。このようなシャッタ操作は必要に応じて複数回繰り返され、複数の撮影画像を生成し、複数の撮影画像を編集対象とすることができる。
【００３２】
上記撮影プレイののち、タッチペン１２による手書き画像等を入力する編集プレイに移行する。この編集プレイでは、ディスプレイ８に撮影画像が表示され、タッチペン１２の先端をディスプレイ８の表面に接触させ、文字や図形等の手描き画像やスタンプ画像を入力し、撮影画像に対する編集入力を行なうようになっている。
【００３３】
ここで、この例において、使用者２がディスプレイ８から見る画像は、上記編集入力された手描き画像やスタンプ画像等の編集入力画像４３（印刷結果画像４５）と、カメラ６で撮影された撮影画像３９とが重なって合成されたように見える画像である（図３参照）。
【００３４】
また、上記筐体１の内部空間には、コンピュータ装置７から送信された合成画像の信号を受信し、この合成画像を印刷媒体１５に印刷して写真を生成するプリンタ９が設けられている。
【００３５】
上記プリンタ９には、一次編集（一次編集については後述する）された撮影画像を印刷媒体１５に印刷する第１印刷ヘッド１０と、上記一次編集された撮影画像が印刷された印刷媒体１５の一次編集箇所に、印刷結果が半透明を呈する半透明インクにより二次編集画像を印刷する第２印刷ヘッド１１とを備えている。
【００３６】
上記第１印刷ヘッド１０としては、この例では、写真画質の印刷に適し、画質が優れるうえ印刷時間も比較的短い昇華型印刷方式が可能なサーマルヘッドが好適に用いられる。上記第１印刷ヘッド１０としては、これ以外にも、例えば、インクジェット式印刷ヘッドやカラーレーザ印刷ヘッド，ＴＡ（サーマル  オートクローム）方式印刷ヘッド等を用いることができる。
【００３７】
上記第２印刷ヘッド１１としては、特に、鮮鋭性が極めて高い溶融型印刷方式が可能なサーマルヘッドが、第１印刷ヘッド１０で印刷された昇華染料インクと混ざりにくい溶融型の半透明インクを用いることから、写真画質の鮮やかさを保持した状態での上塗り印刷が可能となるため、好適に用いられる。これ以外にも、蛍光顔料インク，パール顔料インク，メタリック顔料インク等の特殊インクを熱転写しうる熱転写型印刷方式が可能なサーマルヘッドも用いることができ、プリンタ９で印刷された写真に半透明インクで上塗り印刷しうるものであれば、特に限定するものではなく、各種のものを用いることができる。
【００３８】
上記半透明インクに用いられるインクとしては、特に限定するものではなく、各種のものが使用される。例えば、アゾ顔料，フタロシアニン，縮合多環顔料等の各種有機顔料や、酸化チタンや亜鉛華等の各種酸化物，アルミナホワイト等の各種水酸化物，カドミウムエロー等の各種硫化物をはじめ、クロム酸，硫酸塩，炭酸塩，珪酸塩，燐酸塩，砒酸塩，フェロシアン化物，炭素，金属粉等の各種無機顔料等があげられる。
【００３９】
これらのなかでも、特に、第１印刷ヘッド１０による下塗り印刷の上に上塗り印刷され、両印刷による色混合による発色が鮮やかで装飾性が高いため、蛍光顔料が好適に用いられ、特に、ピンク色の蛍光インクが好適に用いられる。このようにすることにより、第２印刷ヘッド１１による二次編集画像を印刷した結果現れる編集入力画像は、第２印刷ヘッド１１による半透明の蛍光色インクの色と一次編集画像の色を合わせた混合色となって現れ、印刷結果として現れる編集入力画像は一次編集の色柄を反映したカラフルな色柄表現が可能となる。
【００４０】
また、同様に高い装飾性を発揮するものとして、パール顔料，ブロンズ粉やアルミニウム粉等を用いた金色，銀色等のメタリック顔料インクも好適に用いられる。また、各種蓄光顔料，示温顔料等も装飾的に優れているため、好適に用いられる。
【００４１】
そして、上記第１印刷ヘッド１０および第２印刷ヘッド１１で印刷された印刷媒体１５は、筐体１前面に形成された送出口１３から送出されるようになっている。
【００４２】
つぎに、上記コンピュータ装置７のシステム構成について詳しく説明する。
【００４３】
図２に示すように、上記コンピュータ装置７は、カメラ６による撮影や画像の編集等の制御を行う制御部３１と、撮影画像に対する編集を行なう一次編集手段２８および二次編集手段２７と、編集画像の印刷を制御する印刷制御部３４とを備えている。上記制御部３１は、硬貨検出部１７からの検出信号を受信することにより、カメラ６による撮影画像の生成、撮影画像に対する編集入力の受け付け、編集入力に基づく撮影画像の編集、編集された合成画像の印刷等の一連のプレイの制御を開始するようになっている。
【００４４】
上記コンピュータ装置７には、カメラ６による撮影で得られた静止画としての撮影画像を記憶する撮影画像記憶部２９が設けられている。一方、上記ディスプレイ８は、タッチペン１２によって手書き画像等がペン入力されるタブレット等のペン入力部３５と、画像等を表示する液晶表示パネル等の表示部３６とが設けられている。編集入力の際、上記表示部３６には、撮影画像が表示されるとともに各種の編集入力ツールが表示され、使用者２はタッチペン１２によって上記編集入力ツールを選択して手描き画像やスタンプ画像等の編集入力画像を入力し、入力された編集入力がペン入力部３５に受け付けられるようになっている。
【００４５】
そして、上記コンピュータ装置７には、上記ペン入力部３５に対してタッチペン１２の操作により上記ペン入力部３５に対して入力された編集入力画像を記憶する編集入力画像記憶部３０が設けられている。また、図示していないが、上記タッチペン１２で編集入力されるスタンプ画像を記憶するスタンプ画像記憶部が設けられ、編集入力によってスタンプ画像の指定と入力が行なわれると、ここに格納されたスタンプ画像が読み出されて編集に用いられるようになっている。
【００４６】
上記タッチペン１２によって行なわれた編集入力に基づく撮影画像の編集は、上述した一次編集手段２８と二次編集手段２７によって行なわれる。
【００４７】
上記一次編集手段２８は、撮影画像とは別に一次編集画像を生成する一次画像生成部２４と、上記一次画像生成部で生成された一次編集画像と撮影画像とを合成して第１印刷ヘッド１０に出力する合成部３３とを含んで構成されている。
【００４８】
また、上記二次編集手段２７は、一次編集された撮影画像に対して半透明インクで二次編集画像が印刷された印刷結果に対応する印刷結果画像４５を生成して表示部３６に出力する二次画像生成部２５と、上記二次画像生成部２５で生成された印刷結果画像４５を単一色画像４７に変換して第２印刷ヘッド１１に出力する変換部２６とを含んで構成されている。
【００４９】
上記一次編集手段２８による一次編集と二次編集手段２７による二次編集とを図３を用いて詳しく説明する。
【００５０】
図３において、３５はペン入力部であるタブレットであり、３７，３８はそれぞれ第１画層，第２画層、２３は第３画層であり、第１画層３７，第２画層３８，第３画層２３には、それぞれ別個に画像データが展開されて処理が行なわれ、表示部３６には、上から第２画層３８，第１画層３７，第３画層２３の順で重なった状態で合成されたような画像が表示される。
【００５１】
上記第３画層２３には、被写体２が写った撮影画像４０が入力され表示されている。３９は被写体画像である。編集入力を開始する段階では第１画層３７および第２画層３８には画像は入力されていない。したがって、表示部３６には、編集入力前の撮影画像４０が表示されている。
【００５２】
この状態で、タッチペン１２の先端をペン入力部３５の表面に接触させて手描き画像等の編集入力画像４３を入力すると、この編集入力により入力された手描き画像やスタンプ画像等の編集入力画像４３に基づいて、上記一次編集手段２８の一次画像生成部２４は、第１画層３７の上記編集入力画像４３に対応する部分に一次編集画像４６を生成する。また、上記二次編集手段２７の二次画像生成部２５は、第２画層３８の上記編集入力画像４３に対応する部分に本発明の二次編集画像の一態様である印刷結果画像４５を生成する。
【００５３】
この状態では、表示部３６には、第２画層３８，第１画層３７，第３画層２３が重なって合成されたような画像が表示されており、表示部には、撮影画像４０とその上に重なる印刷結果画像４５が見えている。このとき、一次編集画像４６は印刷結果画像４５の下に隠れていて見えない。
【００５４】
このとき、二次画像生成部２５で生成され第２画層３８に入力されて表示部３６に表示される印刷結果画像４５は、一次編集された撮影画像に対して半透明インクで二次編集画像が印刷された印刷結果に対応する色彩の画像である。このようにすることにより、印刷結果に対応した編集後画像がディスプレイ８に表示され、利用者２は印刷結果をイメージしながら編集入力を行なうことができる。
【００５５】
また、上記一次編集画像４６は、撮影画像４０の上記編集入力画像４３に対応する部分にはなにも生成されない白抜き画像や、撮影画像４０の上記編集入力画像４３に対応する部分を下塗り色に変更する画像が生成される。上記編集入力画像４３が入力された領域を下塗り色に変更する場合、１色の一次編集画像４６を生成することもできるが、複数色の一次編集画像４６を生成することもできる。また、白抜きと下塗り色への変更を混在させた状態の一次編集画像４６を生成することもできる。
【００５６】
このように、上記一次編集画像４６として下塗り色等の画像が生成されるが、この段階では、上述したように、一次編集画像４６は印刷結果画像４５の下に隠れて表示部３６には表示されないので、使用者２からは見えない。
【００５７】
つぎに、編集入力が完了すると、一次編集手段２８の合成部３３が、第３画層２３の撮影画像４０と、第１画層３７の一次編集画像４６とを合成して合成画像４４を生成する。この合成画像４４には、被写体画像３９と一次編集画像４６とが含まれる。一方、二次編集手段２７の変換部２６は、第２画層３８を２値変換し、印刷結果画像４５を本発明の二次編集画像の他の態様である単一色画像４７にデータ変換する。
【００５８】
このとき、印刷結果画像４５を含む第２画層３８を編集完了時に編集入力画像記憶部３０に一旦画像ファイルとして保存し、印刷指示後に単一色画像４７に変換してもよい。
【００５９】
そして、プリンタ９による印刷の際には、上記被写体画像３９と一次編集画像４６を含む合成画像４４を第１印刷ヘッド１０で第１印刷ステップとして印刷され、その後、上記単一色画像４７を半透明インクにより第２印刷ヘッド１１で第２印刷ステップとして印刷される。
【００６０】
この２段階の印刷により、印刷媒体１５には、まず、被写体画像３９と一次編集画像４６を含む合成画像が印刷され、上記一次編集画像４６の上に印刷結果画像４５から変換された単一色画像４７が上塗り印刷される。その結果、一次編集画像４６の下塗り色の上に半透明インクで単一色画像４７が上塗り印刷され、その印刷結果としては、上記下塗り色と半透明インクが減色混合された混合色の編集入力画像４３が形成される。
【００６１】
このように、編集入力画像４３に対応する一次編集画像４６について、撮影画像を白抜きしたり下塗り色に変更したりすることにより、第２印刷ヘッド１１で単一色画像４７を印刷した印刷結果は、第２印刷ヘッド１１による半透明インクの色と上記一次編集画像４６の色を減色混合した混合色となって現れ、編集入力画像４３は一次編集の色柄を反映したカラフルな色柄表現が可能となる。
【００６２】
つぎに、上記第１印刷ヘッド１０と第２印刷ヘッド１１を備えたプリンタ９について詳しく説明する。上記プリンタ９は、図４（ａ）に示すように、第１印刷ヘッド１０と第２印刷ヘッド１１とを備えている。
【００６３】
上記第１印刷ヘッド１０に対応して、電気的な画像信号が入力される第１画像信号入力部１９ａと、第１画像信号入力部１９ａに入力された画像信号を一時的に記憶する第１バッファメモリ２０ａ、上記画像信号に基づいて第１印刷ヘッド１０を制御する第１ヘッド制御部２１ａが設けられている。
【００６４】
また、上記第２印刷ヘッド１１に対応して、電気的な画像信号が入力される第２画像信号入力部１９ｂと、第２画像信号入力部１９ｂに入力された画像信号を一時的に記憶する第２バッファメモリ２０ｂ、上記画像信号に基づいて第２印刷ヘッド１１を制御する第２ヘッド制御部２１ｂが設けられている。
【００６５】
そして、上記第１印刷ヘッド１０では、第１インクリボン２２ａを用いて一次編集による合成画像４４の印刷が行なわれ、第２印刷ヘッド１１では第２インクリボン２２ｂを用いて単一色画像４７の印刷が行なわれる。
【００６６】
上記第１印刷ヘッド１０は、第１インクリボン２２ａの印刷に必要な部分を加熱して、第１インクリボン２２ａに展着された昇華染料インクやオーバーコーティング剤を印刷媒体１５に転写する昇華印刷対応型のサーマルヘッドである。したがって、この例において、上記印刷媒体１５としては、表面に受容層として適当な樹脂がコーティングされた受容紙を用いることが望ましい。また、上記第２印刷ヘッド１１は、溶融型の半透明インクが展着されたインクリボン２２ｂを加熱して溶融熱転写する溶融印刷対応型のサーマルヘッドである。
【００６７】
このプリンタ装置では、第１，第２インクリボン２２ａ，２２ｂは、長尺状のインクリボン２２がロール状に巻回され、ロールから矢印Ａの方向に引き出されて印刷が行なわれる。印刷に消費された第１，第２インクリボン２２ａ，２２ｂはロール状に巻き取られる。
【００６８】
また、印刷媒体１５も、長尺状の印刷媒体１５がロール状に巻回され、ロールから矢印Ａの方向に引き出されて印刷が行なわれる。印刷された部分（先端部の一定長さの領域）は、適当なカッターで切断されて写真プリントとして排出される。
【００６９】
上記第１インクリボン２２ａは、図４（ｂ）に示すように、基材フィルム６０のうえに、イエロー（Ｙ），マゼンタ（Ｍ），シアン（Ｃ）の昇華染料インクがそれぞれ展着されたインク領域６１と、上記各昇華染料インクで印刷された画像の上にオーバーコーティングを施すためのオーバーコーティング領域６２とが長手方向に交互に現れるように存在している。
【００７０】
なお、各インク領域６１やオーバーコーティング領域６２の大きさは印刷する写真プリントの印刷範囲と略同じ大きさ（インクの多少の位置ずれを考慮して印刷範囲よりやや大きめに設定される場合もある）に設定されている。そして、Ｙ，Ｍ，Ｃの各昇華染料インクにより、上記第１画層３７に記録された、一次編集画像４６入りの撮影画像４０の印刷が行なわれ、昇華染料インクによる印刷ののち印刷面のオーバーコーティングが行なわれる。
【００７１】
上記第２インクリボン２２ｂは、図４（ｃ）に示すように、基材フィルム６０のうえに、印刷結果が半透明を呈する蛍光インクが展着された半透明インク領域６３が長手方向に多数並ぶよう存在している。そして、上記半透明インクにより、第２画層３８の印刷結果画像４５から変換された単一色画像４７の印刷が行なわれる。
【００７２】
このように、撮影画像４０に一次編集画像４６が合成された合成画像４４を第１印刷ヘッド１０で印刷し、上記合成画像４４が印刷された印刷媒体１５の一次編集画像４６の上に、印刷結果が半透明を呈するインクにより単一色画像４７を第２印刷ヘッド１１で印刷するため、第２印刷ヘッド１１によって半透明に印刷された単一色画像４７は、その下の一次編集画像４６が透けて見えるため、印刷結果としては、第２印刷ヘッド１１による半透明インクの色と一次編集画像４６の色を減色混合した混合色となって現れる。したがって、第２印刷ヘッド１１による半透明インクが単一色であったとしても、印刷結果の編集入力画像４３は一次編集の色柄を反映したものとなり、一次編集の状態に応じて様々な色柄表現が可能となる。
【００７３】
ここで、上記第１印刷ヘッド１０による一次編集画像４６の色と、第２印刷ヘッド１１で印刷された半透明の単一色画像４７の色と、印刷結果として現れる編集入力画像４３の色の関係を示すテーブルの一例を図５に示す。この例では、第２印刷ヘッド１１に用いる半透明インクとして、蛍光ピンクを用いた例を示している。この例によれば、第１印刷ヘッド１０による一次編集画像４６の下塗り色が、赤，橙，黄，黄緑，緑，青緑，青，紫，漆黒，灰色，純白である場合に、これらの色彩の一次編集画像４６の上に、半透明の蛍光ピンクで単一色画像４７を印刷すると、それぞれの色は深紅，蛍光色橙，蛍光色橙，琥珀色，フリント，桔梗色，蛍光色紫，江戸紫，オクサイドレッド，蛍光色マゼンタ，蛍光色ピンクとなる。特に、単一色画像４７を半透明蛍光ピンクで印刷することにより、得られた減色混合色の蛍光色橙，蛍光色紫，蛍光色ピンクは、彩度が高く維持されたままで美麗であり、高い装飾効果が得られる。
【００７４】
なお、この例では、一次編集として撮影画像の編集入力画像４３が入力された領域を変色させる下塗り色への変更を示すものである。図５には例示していないが、一次編集として撮影画像の編集入力画像４３が入力された領域には何も生成されない透明色の場合が、一次編集箇所の白抜きである。この場合は、撮影画像４０そのものの色が、一次編集画像４６の色となる。
【００７５】
そして、タッチペン１２でディスプレイ８のペン入力部３５に編集入力される編集入力画像において指定される色彩は、上記テーブルの印刷結果の色であり、一次編集手段２８による一次編集の際は、上記編集入力において指定された色彩から上記テーブルを用い、第２印刷ヘッド１１での半透明インクの上塗り印刷による色混合の結果が、上記指定色となる下塗り色を設定し、その設定された下塗り色により一次編集画像４６を生成するようになっている。
【００７６】
このようにすることにより、一次編集画像４６の印刷は、編集入力で指定された指定色とは異なる下塗り色で印刷する必要があるが、上記テーブルを参照することにより、指定色に応じた下塗り色を設定して第１印刷ヘッド１０で印刷することができる。
【００７７】
このとき、タッチペン１２による編集入力画像４３の入力操作における色指定は、後述するように、編集入力画面に表示される色指定ツールであるペン選択ボタン５１（図７参照）を選択することによって行なわれる。また、上記編集入力画像４３に基づいて行なわれる一次編集は、第２印刷ヘッド１１での半透明インクによる単一色画像４７の上塗り印刷による減色混合の結果、その印刷結果が上記ペン選択ボタン５１で指定された指定色となるよう設定された下塗り色によって行なわれる。このときの下塗り色の設定は、上記テーブルによって決定される。そして、第１印刷ヘッド１０による一次編集画像４６の印刷は、上記一次編集で設定された下塗り色により印刷される。
【００７８】
このようにすることにより、印刷結果は、第１印刷ヘッド１０による下塗り色と、その上に上塗り印刷される第２印刷ヘッド１１の半透明インクとの減色混合の結果実現するものであるが、その印刷結果の指定色を編集入力によってダイレクトに指定し、その指定色に応じた下塗り色により第１印刷ヘッド１０で一次編集画像４６を印刷し、指定どおりの印刷結果を得ることができる。
【００７９】
また、上記のようなテーブルを、第２印刷ヘッド１１での上塗り印刷で使用する半透明インクの色や種類に応じて複数保有し、使用する半透明インクに応じて切り換え使用されるようにしてもよい。このようにすることにより、第２印刷ヘッド１１で使用する第２インクリボン２２ｂの種類を変更し、使用する半透明インクの種類を変更した際には、上記テーブルを、使用する半透明インクに対応したものに切り換えることにより、適格に指定色どおりの印刷結果を実現できる。
【００８０】
例えば、上述したテーブル例では第２インクリボン２２ｂとして蛍光ピンクのインクのものを使用した例を示したが、第２インクリボン２２ｂとしてパールマイカの蛍光ピンク色や、メタリック蛍光ピンクのものを使用したり、蛍光イエロー，蛍光オレンジ，蛍光グリーン等の第２インクリボン２２ｂを使用し、それぞれに応じたテーブルを参照して一次編集を行なうようにすることができる。
【００８１】
さらに、上記コンピュータ装置７には、スピーカ１８から音声を出力させる音声出力回路３２が設けられている。
【００８２】
つぎに、上記写真プリント提供装置の動作について、図６に示すフローチャートをもとに説明する。なお、図において「Ｓ」は、ステップを意味する。
【００８３】
まず、ディスプレイ８には、デモ画面が表示され、デモあるいは案内の音声がスピーカ１８から出力されている。このデモ画面表示の状態では、常に、硬貨が投入されるのを待機しており、硬貨が投入されれば次のステップに進み、硬貨の投入がなければデモ画面の表示を継続する。
【００８４】
上記デモ画面表示状態において、使用者２がブースに入り、硬貨投入口に硬貨が投入され硬貨検出部１７に硬貨が検知されると、カメラ６による被写体２の撮影プレイが開始される。（Ｓ１）。この撮影プレイでは、カメラ６によって被写体２を撮像して動画である撮像映像がリアルタイムにディスプレイ８に表示される。
【００８５】
そして、使用者２がディスプレイ８に表示されるライブ映像を見ながら被写体２の位置調整や表情，ポーズを決めた後に、操作部１６のシャッタボタンを押してシャッタ操作を行なうと（Ｓ２）、使用者２に撮影を開始する案内が指示され、カウントダウン表示が行なわれ、所定の瞬間の静止画が撮影画像として固定される（Ｓ３）。
【００８６】
このとき、ディスプレイ８には、そのときの撮影画像が静止画像としてプレビュー表示され、使用者２に上記撮影画像のプレビュー確認を促し（Ｓ４）、使用者２が撮りなおしを希望する場合は、使用者２が操作部１６のキャンセルボタンを押すことによりステップ２に戻って新たに撮影が開始される（Ｓ５）。一方、ステップ５において、使用者２が撮りなおしを希望しない場合、規定の撮影枚数に達していなければ、同様にステップ２に戻って次の撮影操作が行なわれる（Ｓ６）。ステップ６において、規定の撮影枚数に達していた場合には、使用者２にタッチペン１２によるペン入力を促すよう案内画面が表示され、編集プレイが開始される（Ｓ７）。
【００８７】
ここで、編集プレイの際にディスプレイ８に表示される編集入力画面の一例を図７に示す。この編集入力画面において、５５はお絵描き入力部であり、カメラ６による撮影画像４０が表示される。５１はペン入力の際の色や種類等を選択し、本発明の色指定ツールとして機能する複数のペン選択ボタン、５２はスタンプ入力の際のスタンプ画像を選択し、同じく本発明の色指定ツールとして機能する複数のスタンプ選択ボタン、５３は入力されたペン画像やスタンプ画像を消去する際の消去モードを選択する複数の消しゴム選択ボタンであり、いずれもお絵描き入力の際の入力ツールを選択する入力受付部である。
【００８８】
所望のペン選択ボタン５１をタッチペン１２先端で選んでからお絵描き入力部５５にタッチペン１２先端で描画することにより、選択したペンによる手描き画像の入力操作が行なえるようになっている。同様に、所望のスタンプ選択ボタン５２をタッチペン１２先端で選んでからお絵描き入力部５５にタッチペン１２先端で位置を指定することにより、指定箇所に選択されたスタンプ画像を入力して表示されるようになっている。
【００８９】
また、所望の消しゴム選択ボタン５３をタッチペン１２先端で選ぶことにより、消去モードを選択して既に入力されたペン画像やスタンプ画像を消去できるようになっている。例えば「全部消す」モードでは、入力されたペン画像等が全て消去され、「１回戻る」モードでは、直前に入力された１つのスタンプ画像やペン画像が消去され、「普通の消しゴム」モードでは、選択後にタッチペン１２の先端で触れた箇所が消しゴムを擦るように消去される。
【００９０】
５６および５７はそれぞれ、現在表示されていない種類のペン選択ボタンやスタンプ選択ボタンを現在表示されたものと切り換え表示する切り換えボタンであり、他の種類のペン選択ボタンやスタンプ選択ボタンを探して使用する際に操作する。５４は当該準備プレイの残り時間を表示する残り時間表示部である。
【００９１】
ここで、上記お絵描き入力部５５に表示された撮影画像４０に対して編集入力画像４３が入力された画面の一例を図８（Ａ）に示す。図８（Ａ）は、被写体画像３９を含む撮影画像４０に、タッチペン１２によって編集入力画像４３が入力され、ディスプレイ８の表示部３６に表示された状態である。この例では、被写体画像３９のバックとなる部分に、編集入力画像４３として７色の虹を描いた例を示している。
【００９２】
上記７色の虹は、図７に示した編集入力画面におけるペン選択ボタン５１で編集入力する色を指定し、タッチペン１２でディスプレイ８の表面に手描きで１色のラインを引き、続いてペン選択ボタンで違う色を指定して次のラインを引く。この操作を７色分繰り返すことにより、７色の虹の編集入力画像４３が入力される。このようにして、編集入力画像４３の入力が行なわれる（Ｓ８）。
【００９３】
このとき、第１画層３７には、図８（Ｃ）に示すように、一次画像生成部２４で生成された一次編集画像４６が入力され（Ｓ９）、第２画層３８には、図８（Ｂ）に示すように、二次画像生成部２５で生成された印刷結果画像４５が入力され（Ｓ１０）、第３画層２３には、図８（Ｃ）に示すように、撮影画像４０が入力される。上記印刷結果画像４５は、少なくとも編集入力が行なわれた編集入力された領域をカバーする領域に生成される。
【００９４】
ディスプレイ８のお絵描き入力部５５には、上記第２画層３８，第１画層３７，第３画層２３がこの順で重なった状態の画像が表示されている。したがって、ディスプレイ８のお絵描き入力部５５に表示されている編集入力画像４３は、すなわち第２画層３８に入力された印刷結果画像４５である。この段階では、上記印刷結果画像４５は、印刷結果と同等の色彩の画像である。
【００９５】
一方、上記一次編集画像４６の色彩は、第２印刷ヘッド１１での半透明インクによる印刷結果画像４５の上塗り印刷による色混合の結果の印刷結果が、上記ペン選択ボタン５１で指定された指定色となるよう設定された下塗り色とされる。このときの下塗り色の設定は、上述したようにテーブルによって決定される。
【００９６】
つぎに、編集プレイ時間として規定されたプレイ時間になったかどうかが判断され（Ｓ１１）、制限時間以内であればステップ８に戻ってプレイが続行される。
【００９７】
ステップ１２において、制限時間に達していれば、つぎに、図８（Ｅ）に示すように、二次編集手段２７の変換部２６により第２画層３８の印刷結果画像４５を含む画像が２値にデータ変換され、印刷結果画像４５の領域に単一色画像４７が生成される。また、図８（Ｆ）に示すように、一次編集手段２８の合成部３３により、第１画層３７の一次編集画像４６と第３画層２３の撮影画像４０とが合成され、合成画像４４が生成する（Ｓ１２）。
【００９８】
つぎに、印刷レイアウトの選択画面を画面表示し、使用者２に印刷レイアウトの選択を促す（Ｓ１３）。印刷レイアウトが決定すると、第１印刷ヘッド１０により、図８（Ｆ）に示した合成画像４４を印刷する（Ｓ１４）。被写体画像３９と一次編集画像４６を含む合成画像４４は、第１インクリボン２２ａすなわちＹ，Ｍ，Ｃの昇華染料インクで印刷が行なわれたのち、印刷面のオーバーコーティングが施される。この第１印刷ヘッド１０による一次編集画像４６の印刷は、上記一次編集で設定された下塗り色により印刷される。
【００９９】
第１印刷ヘッド１０による印刷が終了すると、第２印刷ヘッド１１により、上記一次編集画像４６が印刷された印刷媒体の上記一次編集画像４６の上に、図８（Ｅ）に示した単一色画像４７が上塗り印刷され、図８（Ｇ）に示したように、一次編集画像４６の上に単一色画像４７が重ね塗り印刷されて編集入力画像４３が表現された印刷結果が得られる（Ｓ１５）。
【０１００】
上記第２印刷ヘッド１１での印刷が完了すると、上記合成画像４４の上に半透明インクにより単一色画像４７が印刷された写真プリントが排出され、利用者２に提供される。
【０１０１】
このように、上記写真プリント提供装置および方法によれば、撮影画像４０の編集入力箇所に一次編集を行い、一次編集画像４６が入力された撮影画像４０を第１印刷ヘッド１０で印刷し、上記印刷された一次編集画像４６の上に、印刷結果が半透明を呈するインクにより印刷結果画像４５から変換された単一色画像４７を第２印刷ヘッド１１で印刷するため、第２印刷ヘッド１１によって半透明に印刷された単一色画像４７は、その下の一次編集画像４６が透けて見えるため、印刷結果としては、第２印刷ヘッド１１による半透明インクの色と一次編集画像４６の色を合わせた混合色となって現れる。
【０１０２】
したがって、第２印刷ヘッド１１による半透明インクが単一色であったとしても、印刷結果の編集入力画像４３は一次編集の色柄を反映したものとなり、一次編集の状態に応じて様々な色柄表現が可能となる。このように、１つの第２印刷ヘッド１１による単一色画像４７の印刷により、表現された編集入力画像４３は多様な色柄表現が可能となり、従来の装置のように、印字ヘッドを増やしたり特殊なインクリボンをつくったり、あるいはインクの無駄を増やしたりして印刷コストを上げることなく、多様な色柄表現で編集入力画像４３を印刷表現でき、カラフルな編集画像の色柄表現が低コストで実現できるようになる。また、蛍光色ピンク１色のインクリボン２２ｂにより、蛍光色ピンク以外の様々な蛍光色を表現できる。
【０１０３】
図９は、本発明の第２の実施の形態を示すものである。この例では、上記実施の形態のように２本のインクリボンを使用するのではなく、１本のインクリボン２２で上述した２ステップの印刷を実現するようにしたものである。
【０１０４】
上記インクリボン２２は、基材フィルム６０のうえに、イエロー（Ｙ），マゼンタ（Ｍ），シアン（Ｃ）の昇華染料インクがそれぞれ展着されたインク領域６１と、さらに印刷結果が半透明を呈する蛍光インクが展着された半透明インク領域６３と、印刷面にオーバーコーティングを施すためのオーバーコーティング領域６２と、が長手方向に交互に現れるように存在したものである。
【０１０５】
そして、第１印刷ヘッド１０では、Ｙ，Ｍ，Ｃの各昇華染料インクにより、上記第１画層３７に記録された、一次編集画像４６入りの撮影画像４０の印刷が行なわれる。ついで、第２印刷ヘッド１１では、上記半透明インクにより、第２画層３８に記録された印刷結果画像４５の印刷が行なわれたのち、印刷面のオーバーコーティングが行なわれる。それ以外は、上記第１の実施の形態と同様であり、同様の作用効果を奏する。
【０１０６】
なお、上記各実施の形態では、第１印刷ヘッド１０で印刷される一次編集画像４６と、第２印刷ヘッド１１で印刷される印刷結果画像４５から変換された単一色画像４７とは略同じ大きさ形状である場合を例示したが、これに限定するものではなく、小さな領域の一次編集画像４６の上に一回り大きな領域の単一色画像４７を印刷したり、あるいは、逆に、大きな領域の一次編集画像４６の上に一回り小さな領域の単一色画像４７を印刷することもできる。このようにすることにより、印刷結果としての編集入力画像４３は、縁取りされたような印刷表現がなされ、高い装飾効果を得ることができる。
【０１０７】
また、上記各実施の形態において、従来の編集入力を行うことも可能であり、その場合は、編集入力画像４３は、一次編集手段２８だけを使用して処理され、二次編集手段２７による印刷結果画像４５は生成されない。この場合、第２画層３８には画像データ等はなにも生成されず、編集入力画像４３は、第１画層３７に一次編集画像４６として入力されかつ画面上に表示される。
【０１０８】
また、上記各実施の形態では、第１印刷ヘッド１０と第２印刷ヘッド１１を１台のプリンタ９に設けて印刷を行なう例を示したが、これに限定するものではなく、１つの印刷ヘッドを備えたプリンタを２台連結して印刷することもできるし、上述したような２ステップの印刷を１つの印刷ヘッドで実現する場合も本発明の範囲に含む趣旨である。
【０１０９】
また、上記各実施の形態において、上記カメラ６としては、デジタルカメラを用いることもできるし、ビデオカメラを用いることもでき、特に限定するものではない。また、上記各実施の形態において、印刷媒体１５としては、特に限定するものではなく、例えば、紙類，シール，プラスチックフィルム，カード類，布，不織布，ガラス板，樹脂板等各種のものを用いることができる。さらに、上記各実施の形態では、１台のカメラ６を備えた例を示したが、これに限定するものではなく、複数台のカメラ６を備えるようにしても差し支えない。
【０１１０】
【発明の効果】
以上のように、本発明の写真プリント提供装置および方法では、被写体を撮影して撮影画像を生成して撮影画像に対する編集入力画像の入力を受け付け、上記入力された編集入力画像に基づいて、撮影画像のうち入力された編集入力画像に対応する部分を一次編集して一次編集画像を生成し、上記一次編集画像と対応する部分に、上記一次編集画像と合わさって編集入力画像を生成する二次編集画像を生成する。そして、上記一次編集された撮影画像を印刷媒体に印刷したのち、上記一次編集された撮影画像が印刷された印刷媒体の一次編集画像の上に、印刷結果が半透明を呈する半透明インクにより上記二次編集画像を印刷する。
【０１１１】
このように、撮影画像の編集入力箇所に一次編集を行い、一次編集された撮影画像を第１印刷ヘッドで印刷し、上記一次編集された撮影画像が印刷された印刷媒体の一次編集画像の上に、印刷結果が半透明を呈するインクにより二次編集画像を第２印刷ヘッドで印刷するため、第２印刷ヘッドによって半透明に印刷された二次編集画像は、その下の一次編集画像が透けて見えるため、印刷結果としては、第２印刷ヘッドによる半透明インクの色と一次編集画像の色を合わせた混合色となって現れる。したがって、第２印刷ヘッドによる半透明インクが単一色であったとしても、印刷結果の編集入力画像は一次編集の色柄を反映したものとなり、一次編集の状態に応じて様々な色柄表現が可能となる。このように、１つの第２印刷ヘッドによる二次編集画像の印刷により、表現された編集入力画像は多様な色柄表現が可能となる。したがって、従来の装置のように、印字ヘッドを増やしたり特殊なインクリボンをつくったり、あるいはインクの無駄を増やしたりして印刷コストを上げることなく、多様な色柄表現で編集入力画像を印刷表現できる。このように、カラフルな編集画像の色柄表現が低コストで実現できるようになる。
【図面の簡単な説明】
【図１】本発明の写真プリント提供装置の一実施の形態を示す縦断面図である。
【図２】上記写真プリント提供装置のシステム構成図である。
【図３】一次編集と二次編集を行なう第１画層と第２画層を示す説明図である。
【図４】（ａ）は上記写真プリント提供装置のプリンタを示す構成図、（ｂ）は第１インクリボン、（ｃ）は第２インクリボンである。
【図５】第１印刷ヘッドによる下塗り印刷と第２印刷ヘッドによる上塗り印刷による上塗り印刷による印刷結果の色彩を示すテーブル図である。
【図６】本発明の写真プリント提供方法の一実施の形態を示すフローチャートである。
【図７】編集入力画面の一例を示す図である。
【図８】（Ａ）は編集入力画面におけるお絵描き入力画面、（Ｂ）は第２画層、（Ｃ）は第１画層、（Ｄ）は第３画層、（Ｅ）は変換された単一色画像、（Ｆ）は一次編集画像と撮影画像の合成画像、（Ｇ）は印刷結果のそれぞれ一例である。
【図９】（ａ）は本発明の第２の実施の形態のプリンタを示す構成図、（ｂ）はインクリボンである。
【符号の説明】
１      筐体
２      被写体，利用者，使用者
３      バックスクリーン
４，５  支持フレーム
６      カメラ
７      コンピュータ装置
８      ディスプレイ
９      プリンタ
１０      第１印刷ヘッド
１１      第２印刷ヘッド
１２      タッチペン
１３      送出口
１４      透明板
１５      印刷媒体
１６      操作部
１７      硬貨検出部
１８      スピーカ
１９ａ    第１画像信号入力部
１９ｂ    第２画像信号入力部
２０ａ    第１バッファメモリ
２０ｂ    第２バッファメモリ
２１ａ    第１ヘッド制御部
２１ｂ    第２ヘッド制御部
２２      インクリボン
２２ａ    第１インクリボン
２２ｂ    第２インクリボン
２３      第３画層
２４      一次画像生成部
２５      二次画像生成部
２６      変換部
２７      二次編集手段
２８      一次編集手段
２９      撮影画像記憶部
３０      編集入力画像記憶部
３１      制御部
３２      音声出力回路
３３      合成部
３４      印刷制御部
３５      ペン入力部
３６      表示部
３７      第１画層
３８      第２画層
３９      被写体画像
４０      撮影画像
４３      編集入力画像
４４      合成画像
４５      印刷結果画像
４６      一次編集画像
４７      単一色画像
５１      ペン選択ボタン
５２      スタンプ選択ボタン
５３      消しゴム選択ボタン
５４      残り時間表示部
５５      お絵描き入力部
５６      切り換えボタン
５７      切り換えボタン
６０      基材フィルム
６１      インク領域
６２      オーバーコーティング領域
６３      半透明インク領域
【図１】
2004153379.tif 000003
【図２】
2004153379.tif 000004
【図３】
2004153379.tif 000005
【図４】
2004153379.tif 000006
【図５】
2004153379.tif 000007
【図６】
2004153379.tif 000008
【図７】
2004153379.tif 000009
【図８】
2004153379.tif 000010
【図９】
2004153379.tif 000011